(57)【要約】【課題】  水の中に電極（例えば正極：炭素棒、負極：亜鉛棒）を挿入すると起電力が生ずる。  納豆（糸引納豆）の中に電極を差し込んだら起電力が生じ、水の中に電極を挿入するよりも大きな電力が得られた。  納豆の中では、納豆菌が無機物を生じている。納豆菌は枯草菌と同種であるので、枯草菌の働きで起電力が生じないかと考えて試行した。【解決手段】  稲わらを容器に入れ水に浸して５時間後に電極を差し込み、テスターに接続すると起電力が生じ、水の中に電極を挿入するより大きな電力であることを示した。  従って、枯植物を水に浸すと枯草菌は植物の有機物を栄養源として増殖し、水の中には無機物が生じて電解質となり、多くのイオンが働いて大きな電力が生ずると推察される。【選択図】図１
2012059682.tif 000002
【特許請求の範囲】
【請求項１】
水を入れた容器に電極（正極、負極）を挿入すると超電力が生ずる。
枯植物を入れた容器に水を注ぐと、枯植物がふやけた状態になる。枯植物に存在する枯草菌は増殖力が活発で、枯植物の有機物を分解しながら無機物がつくられて水中で電解質となり、容器に正極と負極となる物体を挿入すると起電力が生ずる。
また、摘みたての植物によっても、同様の現象をみる。
そして、水だけの容器に電極を挿入した電力より、水と枯植物を入れた容器に電極を挿入した電力は大きい。
枯草菌が増殖に必要な栄養源となる枯植物の有機物が無くなるまで、電解質は生じ続けて電流は流れ続ける。
この現象を利用した発電装置（枯草菌電池）。
【請求項２】
納豆（糸引納豆）に電極（正極と負極）となる物体を挿入すると起電力が生ずる発電装置（枯草菌電池）。
【発明の詳細な説明】
【技術分野】
【０００１】  本発明は、納豆（糸引納豆）の中に電極（例えば、正極：炭素棒、負極：亜鉛棒）を挿入すると、両電極間に起電力が生ずる技術に関する。
【背景技術】
【０００２】  大豆の中には、Ｍｇ、Ｋ、Ｃａ、Ｆｅ、Ｚｎなどの金属元素が存在する。
納豆は熟成が進むと、納豆菌の働きで無機物のＭｇＮＨ４ＰＯ４・６Ｈ２Ｏ（ストラバイト）が生成することが知られている（日本食品科学工学会誌、第４４巻第４号、２７頁〜３１頁）。
このことから連想すると、納豆菌の働きで納豆中に電解質が生成して電離し、このイオンによって電流が生じて電力が大きくなると推察される。
【発明の開示】
【発明が解決しようとする課題】
【０００３】  冷蔵販売している納豆（１３５ｇ）を購入後すぐ図１のような装置に入れて電極を挿入し、電圧と電流を測った。測定値は、テスター接続時の最大値である（以後、同じ）。
電圧    １．１７Ｖ        電流    ２．１ｍＡ
図１の納豆に水道水５０ｍｌを注いで攪拌し、室温（約２８℃）で２４時間放置後の電圧と電流の値は下記のとおりである。
電圧    １．１２Ｖ        電流    １１．５ｍＡ
これは、納豆菌の増殖によって納豆中に、イオンの働きをする電解質が増加していることを示している。
納豆は時間の経過とともに不快臭が強くなる。また食品であるので、納豆を使った発電は一般の普及には適さない。従って、これを解決する必要がある。
【課題を解決するための手段】
【０００４】  納豆菌と同種で枯植物に存在する増殖力が強い枯草菌は、水の中で増殖する過程で栄養源としての枯植物中の有機物を分解し、生じた電解質が水の中でイオンとなって電離し、このイオンの働きで発電すると推察して以下の試行をした。
枯植物の試行検体として、稲わら、すすきの葉、ゼラニウムの葉、ローズマリーの葉、椿の葉を用いた。
但し、枯草菌の増殖を計るため、検体に水道水（以下、試行に用いた水は水道水）を注いで２４時間後に電圧と電流を計測した。室温約２８℃。【０００５】  稲わらを約１ｃｍの長さに切断したもの（重さ約５ｇ）を、図１の装置に入れて水面まで水を注ぐ。
電圧    １．１２Ｖ        電流    ５．３ｍＡ【０００６】  枯すすきの葉を約１ｃｍの長さに切断したもの（重さ約５ｇ）を、図１の装置に入れて水面まで水を注ぐ。
電圧    １．１２Ｖ        電流    ３．６ｍＡ【０００７】  ゼラニウムの枯葉（重さ約５ｇ）を手もみして細かくしたものを、図１の装置に入れて水面まで水を注ぐ。
電圧    １．１３Ｖ        電流    ７．８ｍＡ【０００８】  ローズマリーの葉を４８時間日陰干しにしたもの（重さ約１０ｇ）を、図１の装置に入れて水面まで水を注ぐ。
電圧    １．１５Ｖ        電流    ６．５ｍＡ【０００９】  椿の葉３０枚を約１ｃｍ×０．５ｃｍ角に切断して４８時間日陰干しにしたもの（重さ約１０ｇ）を、図１の装置に入れて水面まで水を注ぐ。
電圧    １．１０Ｖ        電流    ４．６ｍＡ【００１０】  摘みたてゼラニウムの葉（重さ約１０ｇ）を、図１の装置に入れて水面まで水を注ぎ、生えている植物を摘みとったばかりのものを用いた場合の発電現象を観察した。
電圧    １．２１Ｖ        電流    ５．７ｍＡ【００１１】  枯植物に寄生する枯草菌の増殖作用でも起電力が生じ、納豆と枯植物の発酵では電圧の大きさはほぼ同じであるが、電流の大きさには差がある。
これは、植物成分の違いに由来するものと考えられる。
【発明の効果】
【００１２】  枯草菌（納豆菌）は水に浸した枯植物の植物成分を分解しながら増殖し、分解物質は水中に溶出して電解質の水溶液となる。
そこで〔０００５〕〔０００６〕〔０００７〕〔０００８〕〔０００９〕〔００１０〕の枯植物を５日間水に浸した後、電圧と電流を計った。
稲わら                    電圧  １．２０Ｖ    電流  ８．０ｍＡ
枯れすすきの莱            電圧  １．１０Ｖ    電流  ４．０ｍＡ
ゼラニウムの枯葉          電圧  １．１６Ｖ    電流  ８．４ｍＡ
ローズマリーの干し葉      電圧  １．１７Ｖ    電流  ８．２ｍＡ
椿の干し葉                電圧  １．０５Ｖ    電流  ６．４ｍＡ
摘みたてゼラニウムの葉    電圧  １．１４Ｖ    電流  ８．８ｍＡ
いずれの場合も、経時により電流が多くなり電解質が増加していることを示している。
ちなみに、同じ電極を水に浸した電圧は１．１３Ｖ、電流は１．６ｍＡである。これは枯草菌と枯植物が起電力に係わっていることを示している。【００１３】  米ヌカも枯植物であるので、米ヌカ（重さ約５ｇ）を〔０００５〕と同様に水を注いで電圧と電流を計った。
この場合、発酵によって泡が盛んに発生した。
電圧    １．１０Ｖ        電流    １８．５ｍＡ
この結果の電流の値が大きいのは、米ヌカには枯草菌の増殖に必要な栄養素が多いことを示している。
【発明を実施するための最良の形態】
【００１４】  地球上には水と植物が存在しているので、多くの地域で枯草菌による発電が可能であることが分かった。
そこで、この現象を利用する発電装置を枯草菌電池と呼称し、枯草菌電池を使用するための代表例を２通り示す。【００１５】  米ヌカの枯草菌電池３個をつくって直列に接続し（図２）、これに白色ＬＥＤを１個接続すると点灯する。
ＬＥＤ点灯直前              電圧  ３．４Ｖ    電流  １１．０ｍＡ
ＬＥＤ点灯２時間後消灯      電圧  ２．７Ｖ    電流  １０．５ｍＡ
ＬＥＤ消灯２時間後          電圧  ３．２Ｖ    電流  １２．０ｍＡ【００１６】  稲わらの枯草菌電池で正負の電極を各２本にしたものを３個つくって直列に接続し（図３）、これで２個の白色ＬＥＤを並列にして点灯する。
ＬＥＤ点灯直前              電圧  ３．６Ｖ    電流  ６．９ｍＡ
ＬＥＤ点灯２時間後消灯      電圧  ２．９Ｖ    電流  ５．０ｍＡ
ＬＥＤ消灯２時間後          電圧  ３．３Ｖ    電流  ６．０ｍＡ【００１７】  図４に示す水槽１６の水１７の中に、米ヌカ１００ｇを入れて攪拌し、室温２８℃の部屋に２４時間放置の後、この中へ電極１８，１９を入れて枯草菌電池とし、電圧と電流を計った。
電圧    １．０７Ｖ        電流    ２２５．０ｍＡ
ちなみに、同じ電極を水に浸した電圧は１．１３Ｖ、電流は４１．５ｍＡである。【００１８】  枯草菌電池のメカニズムは、学術的研究を待たなければならないが、摘みたての植物または枯植物への枯草菌の働きによって起電力が生ずるのは、事実である。
〔００１５〕〔００１６〕〔００１７〕の観察から分かるように、枯草菌電池を直列または並列に接続し、または電極を大きくして電力を大きくすることができる。
減少した電力は、電池の中の枯植物や水を入れ替えることによっても回復できる。
従って、ＬＥＤ点灯用や二次電池充電用など、用途は多方面に及ぶものと考えられる。
なお、枯草菌電池の発電効率を上げる電極の開発と、植物の探索が待たれる。
【図面の簡単な説明】
【００１９】
【図１】  発電装置（円筒容器）の縦断面図
【図２】  枯草菌電池を３個直列に接続して白色ＬＥＤを点灯する横断面図
【図３】  枯草菌電池に正負の電極を各２本入れたものを３個直列に接続し、２個の白色ＬＥＤを並列にして点灯する横断面図
【図４】  正極（ＣＦ）２枚、負極（亜鉛板）１枚を水槽に入れる状態を示す図
【符号の説明】
【００２０】１    正極（炭素：φ５ｍｍ）
２    負極（亜鉛：φ５ｍｍ、または巾５ｍｍ×厚１ｍｍ）
３    水と枯植物、または納豆
４    枯草菌電池（米ヌカ使用）
５    正極（炭素：φ５ｍｍ）
６    負極（亜鉛：φ５ｍｍ、または巾５ｍｍ×厚１ｍｍ）
７    白色ＬＥＤ
８    抵抗器１ｋΩ
９    スイッチ
１０  枯草菌電池（稲わら使用）
１１  正極（炭素：φ５ｍｍ）
１２  負極（亜鉛：φ５ｍｍ、または巾５ｍｍ×厚１ｍｍ）
１３  白色ＬＥＤ
１４  抵抗器１ｋΩ
１５  スイッチ
１６  水槽
１７  水（この中へ米ヌカを入れて攪拌する）
１８  正極（多数の小穴をあけた縦７０ｍｍ×横２００ｍｍ×厚２ｍｍの樹脂板にらせん状に巻いたＣＦ：三菱レーヨン社製ＰＡＮ系炭素繊維ＴＲ−５０Ｓ１５Ｌ、３００ｃｍ、３０ｇ）
１９  負極（亜鉛：縦７５ｍｍ×横２００ｍｍ×厚１ｍｍ）
【図１】
2012059682.tif 000003
【図２】
2012059682.tif 000004
【図３】
2012059682.tif 000005
【図４】
2012059682.tif 000006